Podtech/llm-jp-corpus-v4-ja_patent huggingface dataset:
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
セッションベースの通信を実行する方法であって、
該方法は、端末により実行され、
該方法は、
トークバーストを送信するためのネットワークからの許可を要求するための第１の発言要求メッセージを該ネットワークに送信することと、
所定の時間内に該ネットワークから返答が受信されなかった場合に、別の発言要求メッセージを送信することであって、該別の発言要求メッセージは、該第１の発言要求メッセージが送信されたときを示すタイムスタンプを含む、ことと、
発言要求のキュー位置か、該発言要求がキューに置かれたことかを示す応答メッセージを該ネットワークから受信することと
を包含する、方法。
【請求項２】
前記端末が最も早い発言要求タイムスタンプを有する場合か、該端末が前記キューの最上位に置かれた場合かに、前記ネットワークから発言承認メッセージを受信することをさらに包含する、請求項１に記載の方法。
【請求項３】
前記ネットワークからの返答は、発言承認メッセージまたは発言占有メッセージを含む、請求項１に記載の方法。
【請求項４】
前記ネットワークからの応答メッセージは、発言キュー位置状態メッセージを含む、請求項１に記載の方法。
【請求項５】
前記セッションベースの通信は、少なくとも１つのプッシュトゥーサービスをサポートする、請求項１に記載の方法。
【請求項６】
セッションベースの通信を実行する方法であって、
該方法は、ネットワークにより実行され、
該方法は、
トークバーストを送信するための該ネットワークからの許可を要求するための発言要求メッセージを端末から受信することであって、該発言要求メッセージは、オリジナルの発言要求メッセージが送信されたときを示すタイムスタンプを含む、ことと、
該発言要求メッセージに含まれる該タイムスタンプに従って、該発言要求メッセージをキューに置くことと、
発言要求のキュー位置か、該発言要求がキューに置かれたことかを示す応答メッセージを該端末に送信することと
を包含する、方法。
【請求項７】
前記ネットワークは、複数の発言要求メッセージをそれぞれ異なる端末から受信し、該受信された発言要求メッセージに含まれるタイムスタンプに従って、該受信された発言要求メッセージの要求をキューに置く、請求項６に記載の方法。
【請求項８】
最も早い発言要求タイムスタンプを有する発言要求か、前記キューの最上位に置かれた発言要求かに、許可を与えることをさらに包含する、請求項６に記載の方法。
【請求項９】
前記許可は、発言承認メッセージである、請求項８に記載の方法。
【請求項１０】
前記セッションベースの通信は、少なくとも１つのプッシュトゥーサービスをサポートする、請求項６に記載の方法。
【請求項１１】
セッションベースの通信をサポートする端末であって、
該端末は、プッシュトゥークライアントを備え、
該プッシュトゥークライアントは、
トークバーストを送信するためのネットワークからの許可を要求するための第１の発言要求メッセージを該ネットワークに送信するステップと、
所定の時間内に該ネットワークから返答が受信されなかった場合に、別の発言要求メッセージを送信するステップであって、該別の発言要求メッセージは、該第１の発言要求メッセージが送信されたときを示すタイムスタンプを含む、ステップと、
発言要求のキュー位置か、該発言要求がキューに置かれたことかを示す応答メッセージを該ネットワークから受信するステップと
を実行するように適合されている、端末。
【請求項１２】
前記プッシュトゥークライアントは、前記端末が最も早い発言要求タイムスタンプを有する場合か、該端末が前記キューの最上位に置かれた場合かに、前記ネットワークから発言承認メッセージを受信するステップを実行するようにさらに適合されている、請求項１１に記載の端末。
【請求項１３】
前記ネットワークからの返答は、発言承認メッセージまたは発言占有メッセージを含む、請求項１１に記載の端末。
【請求項１４】
前記ネットワークからの応答メッセージは、発言キュー位置状態メッセージを含む、請求項１１に記載の端末。
【請求項１５】
前記セッションベースの通信は、少なくとも１つのプッシュトゥーサービスをサポートする、請求項１１に記載の端末。
【請求項１６】
セッションベースの通信をサポートするネットワークであって、
該ネットワークは、プッシュトゥーサーバーを備え、
該プッシュトゥーサーバーは、
トークバーストを送信するための該ネットワークからの許可を要求するための発言要求メッセージを端末から受信するステップであって、該発言要求メッセージは、オリジナルの発言要求メッセージが送信されたときを示すタイムスタンプを含む、ステップと、
該発言要求メッセージに含まれる該タイムスタンプに従って、該発言要求メッセージをキューに置くステップと、
発言要求のキュー位置か、該発言要求がキューに置かれたことかを示す応答メッセージを該端末に送信するステップと
を実行するように適合されている、ネットワーク。
【請求項１７】
前記プッシュトゥーサーバーは、複数の発言要求メッセージをそれぞれ異なる端末から受信し、該受信された発言要求メッセージに含まれるタイムスタンプに従って、該受信された発言要求メッセージの要求をキューに置くように適合されている、請求項１６に記載のネットワーク。
【請求項１８】
前記プッシュトゥーサーバーは、最も早い発言要求タイムスタンプを有する発言要求か、前記キューの最上位に置かれた発言要求かに、許可を与えるステップを実行するようにさらに適合されている、請求項１６に記載のネットワーク。
【請求項１９】
前記許可は、発言承認メッセージである、請求項１８に記載のネットワーク。
【請求項２０】
前記セッションベースの通信は、少なくとも１つのプッシュトゥーサービスをサポートする、請求項１６に記載のネットワーク。
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
実質的に縦長の層部材の主軸が主防御層に垂直で、一様な前記主防御層を形成する実質的に縦長の前記層部材の少なくとも一つの密に堅く詰め込まれた配列を配置し、前記層部材は相互に離れて前記配列内に連続した間隙を形成し、前記層部材の少なくとも表面部分は高導電率を有し、前記層部材は相互に電気的に絶縁されており、ｗを前記主防御層の幅、ｎを整数、λｇを前記連続した間隙を伝播する電波の波長とするとき、前記主防御層の幅は式：ｗ＝（２ｎ−１）λｇ／２により与えられる共振条件に厳密に従う、マイクロ波およびミリ波のアンテナに防御物を与える方法。
【請求項２】
さらに前記層部材は誘電体材料でコーティングされてなる請求項１に記載の方法。
【請求項３】
さらに前記部材を少なくとも一つの誘電体母材に浸漬してなる請求項１に記載の方法。
【請求項４】
さらに誘電体層を前記主防御層の少なくとも一つの表面に取り付け、前記誘電体層の幅は誘電体層を伝播する電波の半波長を越えない請求項１に記載の方法。
【請求項５】
前記実質的に縦長の層部材はさらに前記主防御層内で対をなし、対をなす一方の部材と対をなす他方の部材は主軸が同一線上にあり、各対において層部材は予め決められた間隔だけ離れて在る請求項１に記載の方法。
【請求項６】
さらに前記の予め決められた間隔内に導電性表面を有する円板を設置することからなる請求項５に記載の方法。
【請求項７】
前記の円板は前記の対をなす層部材の少なくとも一つと電気的に絶縁されている請求項６に記載の方法。
【請求項８】
さらに次の項目：対をなす層部材間の前記間隔の幅、前記円板の半径、前記円板の高さ、からなる群から選ばれた少なくとも一項目の値を変えることにより、前記主防御層の使用周波数を調整することからなる請求項５〜７のいずれか一に記載の方法。
【請求項９】
主防御層は堅く詰め込まれた配列を形成した複数の実質的に縦長の部材からなり、前記実質的に縦長の部材の主軸は前記主防御層の表面に垂直であり、前記部材は互いに離れ電気的に絶縁されて前記配列中に連続した間隙を形成し、前記層部材の少なくとも一部は高導電率の表面を有し、前記主防御層の幅は、ｗを前記主防御層の幅、ｎを整数、λｇを前記連続した間隙を伝播する電波の波長とするとき、式：ｗ＝（２ｎ−１）λｇ／２により与えられる共振条件に厳密に従う、少なくとも一つの前記主防御層からなる、マイクロ波およびミリ波のアンテナに防御物を与えるレドーム。
【請求項１０】
さらに前記主防御層の少なくとも一つの表面に取り付けられた誘電体層からなる請求項９に記載のレドーム。
【請求項１１】
前記誘電体層はＫｅｖｌａｒ（登録商標）と高密度ポリエチレンとからなる群から選ばれた材料により構成される請求項１０に記載のレドーム。
【請求項１２】
前記層部材は発射物に耐えることに適応する、機械的エネルギーを吸収する高張力材料で作られた請求項９に記載のレドーム。
【請求項１３】
前記層部材はセラミック、合金、ナノ粒子セラミック、ナノ粒子合金からなる群から選ばれた材料で作られた請求項９に記載のレドーム。
【手続補正２】
【補正対象書類名】明細書
【補正対象項目名】０００６
【補正方法】変更
【補正の内容】
【０００６】
本発明のマイクロ波およびミリ波のアンテナに防御物を与える方法は、実質的に縦長の層部材の主軸が主防御層に垂直で、一様な前記主防御層を形成する実質的に縦長の前記層部材の少なくとも一つの密に堅く詰め込まれた配列を配置し、前記層部材は相互に離れて前記配列内に連続した間隙を形成し、前記層部材の少なくとも表面部分は高導電率を有し、前記層部材は相互に電気的に絶縁されており、ｗを前記主防御層の幅、ｎを整数、λｇを前記連続した間隙を伝播する電波の波長とするとき、前記主防御層の幅は式：ｗ＝（２ｎ−１）λｇ／２により与えられる共振条件に厳密に従う、マイクロ波およびミリ波のアンテナに防御物を与える方法である。
【手続補正３】
【補正対象書類名】明細書
【補正対象項目名】０００７
【補正方法】削除
【補正の内容】
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
２つの出力（１１４、１１２）と２つのバイアス端子（１１１、１１３）とを有する第１のブリッジトランスデューサ（１１０）と、
２つの出力（１１９、１１７）と２つのバイアス端子（１１６、１１８）とを有する第２のブリッジトランスデューサ（１１５）と、
前記第１のブリッジトランスデューサの一方の出力（１１２）に結合された第１の入力と、前記第２のブリッジトランスデューサの一方の出力（１１９）に結合された第２の入力を有する、差動増幅器とを備え、
前記第１および第２のブリッジトランスデューサの各他方の出力がそれぞれ互いに結合されている、回路。
【請求項２】
前記差動増幅器に結合された能動負荷（１４０、１４５）を更に備える、請求項１に記載の回路。
【請求項３】
２つの出力（２２０、２２５）と２つのバイアス端子とを有するホール効果トランスデューサ（２１０）と、
前記ホール効果トランスデューサの第１の出力に結合されたベースを有する第１のトランジスタと、前記ホール効果トランスデューサの第２の出力に結合されたベースを有する第２のトランジスタと、を備える差動増幅器（１６０）と、
前記差動増幅器の前記第１および第２のトランジスタに結合された１対の能動負荷トランジスタ（１４０、１４５）と、
前記能動負荷に結合された能動負荷基準トランジスタ（１５０）と、
前記ホール効果トランスデューサのほぼ中央に結合されて、前記能動負荷基準にバイアスを供給するセンタータップ（２１５）と、
を備える回路。
【手続補正書】
【提出日】平成20年5月27日(2008.5.27)
【手続補正１】
【補正対象書類名】明細書
【補正対象項目名】００１６
【補正方法】変更
【補正の内容】
【００１６】
ハイドロフォビン
ハイドロフォビンは、疎水性／親水性界面で自己アセンブリーでき、以下の保存配列：
Ｘｎ−Ｃ−Ｘ５−９−Ｃ−Ｃ−Ｘ１１−３９−Ｃ−Ｘ８−２３−Ｃ−Ｘ５−９−Ｃ−Ｃ−Ｘ６−１８−Ｃ−Ｘｍ（配列番号１)
［式中、Ｘはいずれかのアミノ酸を表し、ｎ及びｍは独立に整数を表す］
を有する周知のクラスのタンパク質である(Wessels, 1997, Adv. Microb. Physio. 38: 1-45; Wosten, 2001, Annu Rev. Microbiol. 55: 625-646)。典型的にハイドロフォビンは、１２５アミノ酸までの長さを有する。保存配列中のシステイン残基（Ｃ）は、ジスルフィド架橋の一部を形成する。本発明の内容では、用語「ハイドロフォビン」は、以下の配列：
Ｘｎ−Ｃ−Ｘ１−５０−Ｃ−Ｘ０−５−Ｃ−Ｘ１−１００−Ｃ−Ｘ１−１００−Ｘ１−５０−Ｃ−Ｘ０−５−Ｃ−Ｘ１−５０−Ｃ−Ｘｍ（配列番号２)
を含むタンパク質のようなタンパク質フィルムを生ずる疎水性／親水性界面で自己アセンブリーの特徴を未だ示す機能的に同等なタンパク質、またはタンパク質フィルムを生ずる疎水性／親水性界面で自己アセンブリーの特徴を未だ示すその一部を含むように、より広い意味を有する。本発明の定義によれば、自己アセンブリーは、テフロン（登録商標）にタンパク質を吸着させ、二次構造（一般的にα−ヘリックス）の存在を確立するための円２色性を使用することによって検出できる(De Vocht等, 1998, Biophys. J. 74: 2059-68)。
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
チトクロームP450-2C19をコードしている遺伝子中の多型部位において、ヌクレオチド変異体の有無を試料中で検出するための方法であって、以下の工程を含む方法：
(a)前記変異体を含むDNAの領域を試料から増幅して、増幅DNA産物を形成する工程；
(b)少なくとも二つのタグ付き対立遺伝子特異的伸長プライマーを、増幅DNA産物中の相補的標的配列にハイブリダイズする工程であって、各タグ付き対立遺伝子特異的伸長プライマーが、相補的な増幅DNAにハイブリダイズすることが可能な3'端ハイブリダイズ部分を有し、かつ少なくとも二つのタグ付き対立遺伝子特異的伸長プライマーの3'端ハイブリダイズ部分がそれぞれ、SEQ ID NO：12〜SEQ ID NO：25の25位から3'末端ヌクレオチドまでの塩基からなる群より選択される配列、および対応するアンチタグ配列に相補的な5'端タグ部分を含み、3'端ハイブリダイズ部分の末端ヌクレオチドが、疑わしい変異体ヌクレオチドまたはその部位の対応する野生型ヌクレオチドのいずれかに相補的である、工程；
(c)各3'端ハイブリダイズ部分の末端ヌクレオチドが、相補的な増幅DNA産物に完全マッチしている場合、標識ヌクレオチドを用いて少なくとも二つのタグ付き対立遺伝子特異的伸長プライマーを伸長させる工程；
(d)少なくとも二つのタグ付き対立遺伝子特異的伸長プライマーを、それらの対応するアンチタグ配列にハイブリダイズし、標識された伸長産物の存在を検出する工程。
【請求項２】
少なくとも二つのタグ付き対立遺伝子特異的プライマーの5'端タグ部分がそれぞれ、SEQ ID NO：12〜SEQ ID NO：25の塩基1〜24からなる群より選択される配列を含み、各5'端タグ部分の配列が特有のものである、請求項1記載の方法。
【請求項３】
アンチタグ配列が固体支持体に連結している、請求項1記載の方法。
【請求項４】
固体支持体が、ビーズ、スペクトル的にコード化されたビーズ、およびチップに基づくマイクロアレイからなる群より選択される、請求項3記載の方法。
【請求項５】
増幅する工程が、SEQ ID NO：2およびSEQ ID NO：3、SEQ ID NO：4およびSEQ ID NO：5、SEQ ID NO：6およびSEQ ID NO：7、SEQ ID NO：8およびSEQ ID NO：9、ならびにSEQ ID NO：10およびSEQ ID NO：11からなる対の群より選択されるPCRプライマーの少なくとも二つの対を含むPCR増幅プライマーセットを用いて、PCRにより実施され、PCRプライマー対が、各プライマー対と検出すべき選択された変異体との関係に従って選択される、請求項1記載の方法。
【請求項６】
チトクロームP450-2C19をコードしている遺伝子中の多型部位において、ヌクレオチド変異体の有無を試料中で検出するための方法であって、以下の工程を含む方法：
(a)前記選択された変異体を含むDNAの領域を試料から増幅して、増幅DNA産物を形成する工程；
(b)SEQ ID NO：12〜SEQ ID NO：25からなる群より選択される少なくとも二つのタグ付き対立遺伝子特異的伸長プライマーを、増幅DNA産物中の相補的標的配列にハイブリダイズする工程であって、各タグ付き対立遺伝子特異的伸長プライマーが、相補的な増幅DNAにハイブリダイズすることが可能な3'端ハイブリダイズ部分および対応するアンチタグ配列に相補的な5'端タグ部分を有し、3'端ハイブリダイズ部分の末端ヌクレオチドが、疑わしい変異体ヌクレオチドまたはその部位の対応する野生型ヌクレオチドのいずれかに相補的である、工程；
(c)各3'端ハイブリダイズ部分の末端ヌクレオチドが、相補的な増幅DNA産物に完全マッチしている場合、標識ヌクレオチドを用いて少なくとも二つのタグ付き対立遺伝子特異的伸長プライマーを伸長させる工程；
(d)少なくとも二つのタグ付き対立遺伝子特異的伸長プライマーを、それらの対応するアンチタグ配列にハイブリダイズし、標識された伸長産物の存在を検出する工程。
【請求項７】
アンチタグ配列が固体支持体に連結している、請求項6記載の方法。
【請求項８】
固体支持体が、ビーズ、スペクトル的にコード化されたビーズ、およびチップに基づくマイクロアレイからなる群より選択される、請求項7記載の方法。
【請求項９】
増幅する工程が、SEQ ID NO：2およびSEQ ID NO：3、SEQ ID NO：4およびSEQ ID NO：5、SEQ ID NO：6およびSEQ ID NO：7、SEQ ID NO：8およびSEQ ID NO：9、ならびにSEQ ID NO：10およびSEQ ID NO：11からなる対の群より選択されるPCRプライマーの少なくとも二つの対を含むPCR増幅プライマーセットを用いて、PCRにより実施され、PCRプライマー対が、各プライマー対と検出すべき選択された変異体との関係に従って選択される、請求項6記載の方法。
【請求項１０】
チトクロムP450-2C19をコードする遺伝子中の多型部位において、ヌクレオチド変異体の有無を試料中で検出するためのキットであって、少なくとも二つのタグ付き対立遺伝子特異的伸長プライマーのセット含み、各タグ付き対立遺伝子特異的伸長プライマーは、変異体ヌクレオチドまたは多型部位の一つの対応する野生型ヌクレオチドのいずれかに相補的な3'末端ヌクレオチドを含む3'端ハイブリダイズ部分、および対応するアンチタグ配列に相補的な5'端タグ付き部分を有し、かつ少なくとも二つのタグ付き対立遺伝子特異的伸長プライマーはSEQ ID NO：12〜SEQ ID NO：25からなる群より選択される、キット。
【請求項１１】
多型部位を含むDNAの領域を増幅するためのPCR増幅プライマーセットをさらに含む請求項10記載のキットであって、PCR増幅プライマーセットが、SEQ ID NO：2およびSEQ ID NO：3、SEQ ID NO：4およびSEQ ID NO：5、SEQ ID NO：6およびSEQ ID NO：7、SEQ ID NO：8およびSEQ ID NO：9、ならびにSEQ ID NO：10およびSEQ ID NO：11からなる対の群より選択されるPCRプライマーの少なくとも二つの対を含み、PCRプライマー対が、各プライマー対と検出すべき選択された変異体との関係に従って選択される、キット。
【請求項１２】
アンチタグのセットをさらに含む請求項10記載のキットであって、各アンチタグが、選択された少なくとも二つのタグ付き対立遺伝子特異的伸長プライマーのヌクレオチド1〜24に相補的である、キット。
【請求項１３】
アンチタグが支持体に連結している、請求項12記載のキット。
【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
フィルタトウ漏斗にあるか、またはフィルタトウ漏斗を出るたばこフィルタトウ材料に添加物を加えるための装置であって、
香料入口と、
弁と、
前記フィルタトウ漏斗の少なくとも一部の下流に配され、前記弁により前記香料入口に対して制御された流体連通状態にある中空針と
を具え、これにより使用中に添加物が前記中空針によって前記フィルタトウ材料の通路へと送出され、
前記中空針は、この中空針の少なくとも末端がフィルタトウ材料の通路にある前進位置と、当該中空針が前記トウ材料の通路にない格納位置との間を長手方向軸線に沿って選択的に移動可能であることを特徴とする装置。
【請求項２】
前記長手方向軸線が前記トウ漏斗の先細りの内面に対してほぼ平行であることを特徴とする請求項１に記載の装置。
【請求項３】
前記長手方向軸線が前記トウの流路の中心線に対してほぼ平行であることを特徴とする請求項１に記載の装置。
【請求項４】
前記中空針は、前記前方位置と格納位置との間を好ましくは空気圧にて作動する前記弁により選択的に移動可能であることを特徴とする請求項１から請求項３の何れかに記載の装置。
【請求項５】
前記中空針の末端における開口が０.５mmから１.０mmの範囲にあることを特徴とする請求項１から請求項４の何れかに記載の装置。
【請求項６】
加熱手段をさらに具えたことを特徴とする請求項１から請求項５の何れかに記載の装置。
【請求項７】
前記添加物が固体の形態で与えられ、装置を通過する間に液体へと溶融することを特徴とする請求項１から請求項６の何れかに記載の装置。
【請求項８】
前記香料入口への添加物の送出が添加物計量手段によって調整されることを特徴とする請求項１から請求項７の何れかに記載の装置。
【請求項９】
前記香料入口から前記中空針までの添加物の通路が前記弁によって制御されることを特徴とする請求項１から請求項８の何れかに記載の装置。
【請求項１０】
前記弁に１つ以上のＯリングシールが与えられていることを特徴とする請求項１から請求項９の何れかに記載の装置。
【請求項１１】
前記添加物が香料であることを特徴とする請求項１から請求項１０の何れかに記載の装置。
【請求項１２】
図２から図７の何れかを参照してこの明細書にほぼ記述されたような添加物をたばこフィルタトウ材料に加えるための装置。
【請求項１３】
たばこフィルタに添加物を加える方法であって、
請求項１から請求項１３の何れかに記載の装置を準備するステップと、
前記香料入口に添加物を供給するステップと、
前記弁および前記中空針が前進位置へと動くように、前記トウ漏斗にあるか、またはトウ漏斗を出るトウ材料の通路へと前記弁を作動させるステップと、
前記中空針を介して添加物をトウへと送出するステップと
を具えたことを特徴とする方法。
【請求項１４】
装置の全体または一部を加熱するステップをさらに具えたことを特徴とする請求項１３に記載の方法。
【請求項１５】
図２から図７の何れかを参照してこの明細書にほぼ記述されたようなたばこフィルタに添加物を加えることを特徴とする方法。
【手続補正２】
【補正対象書類名】明細書
【補正対象項目名】０００９
【補正方法】変更
【補正の内容】
【０００９】
【特許文献１】英国特許第１３４２９３１号明細書
【特許文献２】英国特許第２２２９０７８号明細書
【特許文献３】国際公開第０２/０６９７４５号パンフレット
【特許文献４】英国特許第２２３６６５６号明細書
【特許文献５】米国特許出願公開第２００３/０２２４９１８Ａ１号明細書
【特許文献６】米国特許第４５４９８７５号明細書
【手続補正３】
【補正対象書類名】明細書
【補正対象項目名】００１０
【補正方法】変更
【補正の内容】
【００１０】
しかしながら、特許文献５に記述された方法は、いくつかの潜在的欠点を持っている。
・着香繊維ストランドは、最終製品にて目立ち、喫煙者がこれを欠陥と見なしてしまう可能性がある。
・喫煙者が喫煙中にフィルタからストランドを除去できる可能性がある。
・供給できる香料の分量が繊維ストランドの吸収特性によって制限される。
・前方に移動するトウ材料の通路に（位置決め器具の如き）何かを置くことは、その流れを妨げたり、または乱したりする可能性のため、不完全な製品につながるので望ましくない。
特許文献６は、フィルタロッドが形成される箇所で針を介して添加される煙軽減剤を導入することにより、煙軽減剤をフィルタトウの流れに添加する方法を開示する。この技術は、例えばトウの破損やトウパレットの交換あるいは装置の故障のためにフィルタ製造装置を再設定または点検する必要がある場合、針が障害物となったりオペレータを危険にさらす可能性があるという不具合を有する。
【手続補正４】
【補正対象書類名】明細書
【補正対象項目名】００１２
【補正方法】変更
【補正の内容】
【００１２】
本発明の第１の形態によると、フィルタトウ漏斗にあるか、またはフィルタトウ漏斗を出るたばこフィルタトウ材料に添加物を加えるための装置が提供され、この装置は、
香料入口と、
弁と、
前記フィルタトウ漏斗の少なくとも一部の下流に配され、前記弁により前記香料入口に対して制御された流体連通状態にある中空針と
を具え、これにより使用中に添加物が前記中空針により前記フィルタトウ材料の通路へと送出され、
前記中空針は、この中空針の少なくとも末端がフィルタトウ材料の通路にある前進位置と、当該中空針が前記トウ材料の通路にない格納位置との間を長手方向軸線に沿って選択的に移動可能である。
【手続補正５】
【補正対象書類名】明細書
【補正対象項目名】００１３
【補正方法】削除
【補正の内容】
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
細菌フラビンアデニンジヌクレオチド（ＦＡＤ）シンテターゼの活性を決定するための方法であって：
ブドウ球菌属（Ｓｔａｐｈｙｌｏｃｃｕｓ）、連鎖球菌属（Ｓｔｒｅｐｔｏｃｏｃｃｕｓ）、サルモネラ属（Ｓａｌｍｏｎｅｌｌａ）からなる群より選択される細菌ＦＡＤシンテターゼ、またはその機能性断片と、細菌ＦＡＤシンテターゼの還元基質を接触させ；そして
細菌ＦＡＤシンテターゼの活性を決定する
ことを含む、前記方法。
【請求項２】
ブドウ球菌属が黄色ブドウ球菌（Ｓｔａｐｈｙｌｏｃｃｕｓ  ａｕｒｅｕｓ）である、請求項１の方法。
【請求項３】
連鎖球菌属が肺炎連鎖球菌（Ｓｔｒｅｐｔｏｃｏｃｃｕｓ  ｐｎｅｕｍｏｎｉａｅ）である、請求項１の方法。
【請求項４】
サルモネラ属がネズミチフス菌（Ｓａｌｍｏｎｅｌｌａ  ｔｙｐｈｉｍｕｒｉｕｍ）である、請求項１の方法。
【請求項５】
還元基質がＦＭＮまたはＦＡＤである、請求項１の方法。
【請求項６】
細菌フラボキナーゼ（ＦＫ）の活性を決定するための方法であって；
サルモネラ属の細菌ＦＫまたはその機能性断片を、還元リボフラビンと接触させ；そして
細菌ＦＫの活性を決定する
ことを含む、前記方法。
【請求項７】
サルモネラ属がネズミチフス菌である、請求項６の方法。
【請求項８】
細菌フラビンアデニンジヌクレオチド（ＦＡＤ）シンテターゼ活性を調節可能な化合物を同定するための方法であって
ブドウ球菌属、連鎖球菌属、サルモネラ属からなる群より選択される細菌ＦＡＤシンテターゼ、またはその機能性断片と、細菌ＦＡＤシンテターゼの還元基質および試験化合物を接触させ；そして
細菌ＦＡＤシンテターゼの活性を決定する（ここで、対照と比較した、化合物の存在下での活性の増加または減少は、該化合物がＦＡＤシンテターゼ活性を調節する指標となる）、
ことを含む、前記方法。
【請求項９】
ブドウ球菌属が黄色ブドウ球菌である、請求項８の方法。
【請求項１０】
連鎖球菌属が肺炎連鎖球菌である、請求項８の方法。
【請求項１１】
サルモネラ属がネズミチフス菌である、請求項８の方法。
【請求項１２】
還元基質がＦＭＮまたはＦＡＤである、請求項８の方法。
【請求項１３】
細菌フラボキナーゼを調節可能な化合物を同定するための方法であって：
サルモネラ属の細菌ＦＫまたはその機能性断片を、還元リボフラビンおよび試験化合物と接触させ；そして
細菌ＦＫの活性を決定する（ここで、対照と比較した、化合物の存在下での活性の増加または減少は、該化合物がＦＫ活性を調節する指標となる）、
ことを含む、前記方法。
【請求項１４】
サルモネラ属がネズミチフス菌である、請求項１３の方法。
【請求項１５】
請求項８に記載の方法によって同定された細菌ＦＡＤシンテターゼ活性を調節可能な化合物を用いたブドウ球菌の処置方法。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
腫瘍壊死因子関連アポトーシス誘導リガンドを発現する、樹状細胞ではない腫瘍帰巣細胞。
【請求項２】
腫瘍帰巣細胞に腫瘍壊死因子関連アポトーシス誘導リガンドをコードするアデノウイルスベクターを形質導入することによって得ることが可能な、請求項１に記載の細胞。
【請求項３】
腫瘍帰巣細胞が、成長因子で処置されたがん患者の末梢血から採取したＣＤ３４＋造血細胞；末梢血から採取したＮＫ細胞；末梢血単核球の生体外培養によって得たサイトカイン誘導性キラー細胞（ＣＩＫ）；内皮細胞及び内皮前駆細胞；腫瘍浸潤リンパ球（ＴＩＬ）；リンホカイン活性化キラー細胞（ＬＡＫ）；マクロファージ；間葉系幹細胞（ＭＳＣ）から選択される、請求項１又は２に記載の細胞。
【請求項４】
ＮＫ細胞又はＣＤ３４＋細胞に腫瘍壊死因子関連アポトーシス誘導リガンドをコードするアデノウイルスベクターを形質導入することによって得ることが可能な、請求項３に記載の細胞。
【請求項５】
請求項１〜４のいずれか１項に記載の細胞を、生理的に許容可能なビヒクルとの混合物で含有する細胞製剤。
【請求項６】
請求項１〜４のいずれか１項に記載の細胞を含む、腫瘍治療用医薬。
【請求項７】
腫瘍がリンパ腫である、請求項６に記載の医薬。
【請求項８】
腫瘍が乳癌である、請求項６に記載の医薬。
【請求項９】
静脈内投与される、請求項６、７又は８に記載の医薬。
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
ビタミン、アミノ酸、あるいはその他の生命に必要な物質の測定に適した微生物の正確な所定の数の生きた細胞を、微生物学的成長及び代謝測定のための１つ以上の培養容器に移す工程と、
凍結溶液中の細胞を得るため、前記所定の数の生きた細胞に、特定的に栄養が欠乏したある量の試験媒体と、追加の２００〜５００ｍＭのトレハロース／スクロースを添加する工程と、
前記所定の数の生きた細胞を含み、室温で保持するための乾燥した培養容器を得るために、前記凍結溶液中の細胞を−１０〜−１００℃の温度で急速凍結し、凍結乾燥する工程とを有し、
必要なときに、前記所定の数の生きた細胞を含む前記培養容器を用いて、混合物質における、ビタミン、アミノ酸、あるいはその他の生命に必要な物質それぞれの定量を行うことで特徴付けられる微生物学的方法による、混合物質における、ビタミン、アミノ酸、あるいはその他の生命に必要な物質それぞれの定量方法。
【請求項２】
２００〜２５０ｍＭのトレハロースを含有する凍結溶液中で、前記細胞が急速凍結及び凍結乾燥される
請求項１に記載の方法。
【請求項３】
測定される前記物質が、ビタミンＢ３（ナイアシン、ニコチン酸、ニコチン酸アミド）、ビタミンＢ１２（シアノコバラミン（cyanocobalamain）、ヒドロキシコバラミン）、葉酸（葉酸、プテロイルグルタミン（pteroylglutaminic）酸、葉酸共役）、ビオチン、パントテン酸（パントテン（panonthenic）酸、パンテノール（panhenol））、ビタミンＢ１（チアミン、チアミンピロリン酸）、ビタミンＢ２（リボフラビン、リン酸リボフラビン）、ビタミンＢ６（ピリドキシン、ピリドキサール、ピリドキサミン、ピリドキサール−５’−リン酸）、リシン、メチオニン、シスチン、コリン、イノシトールから選択される
請求項１または２に記載の方法。
【請求項４】
前記微生物が、Lactobacillus delbrueckii subsp. lactis、Enterococcus hirae、Lactobacillus plantarum、Lactobacillus fermenti、Lactobacillus halveticus、L. veridescenc、Streptococcus faecalisから選択される
請求項１〜３のいずれかに記載の方法。
【請求項５】
前記培養容器が微小滴定プレートである
請求項１〜４のいずれかに記載の方法。
【請求項６】
微生物学的成長及び代謝測定のための１つ以上の培養容器を有し、
前記培養容器中に、適切な微生物の所定の数の生きた細胞が含まれ、
所定の数の細胞の全体が、水と栄養媒体の添加後遅延なしに成長し始めるように、請求項１〜５のいずれかに係る、保存糖の添加、急速凍結及び凍結乾燥を通して、前記細胞が保存されている、
混合物質における、ビタミン、アミノ酸、あるいはその他の生命に必要な物質それぞれの微生物学的定量のための試験キット。
【請求項７】
測定される前記物質が、ビタミンＢ３（ナイアシン、ニコチン酸、ニコチン酸アミド）、ビタミンＢ１２（シアノコバラミン（cyanocobalamain）、ヒドロキシコバラミン）、葉酸（葉酸、プテロイルグルタミン（pteroylglutaminic）酸、葉酸共役）、ビオチン、パントテン酸（パントテン酸、パンテノール）、ビタミンＢ１（チアミン、チアミンピロリン酸）、ビタミンＢ２（リボフラビン、リン酸リボフラビン）、ビタミンＢ６（ピリドキシン、ピリドキサール、ピリドキサミン、ピリドキサール−５’−リン酸）、リシン、メチオニン、シスチン、コリン、イノシトールから選択される
請求項６に記載の試験キット。
【請求項８】
前記微生物が、Lactobacillus delbrueckii subsp. lactis、Enterococcus hirae、Lactobacillus plantarum、Lactobacillus fermenti、Lactobacillus halveticus、L. veridescenc、Streptococcus faecalisから選択される
請求項７に記載の試験キット。
【請求項９】
前記培養容器が微小滴定プレートである
請求項６〜８のいずれかに記載の試験キット。
【請求項１０】
微生物学的ビタミン測定のための全ての試薬を有するすぐに使える（ready-to-use）キットである
請求項６〜９のいずれかに記載の試験キット。
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
下部構造上に取り付けられるソーラーパネルオーバレイであって、
基板と、
前記基板上に位置し、前記下部構造と同様な外観を前記ソーラーパネルオーバレイに与える、前記基板上の少なくとも１列の太陽電池と、を有するソーラーパネルオーバレイ。
【請求項２】
複数列の太陽電池を有する、請求項１に記載のソーラーパネルオーバレイ。
【請求項３】
さらに各太陽電池間に段を有し、前記列同士の間に垂直レリーフが形成されている、請求項２に記載のソーラーパネルオーバレイ。
【請求項４】
下部ルーフデッキ上に取り付けられるソーラーパネルオーバレイであって、
基板と、
太陽電池が、前記下部ルーフデッキの外観に似た外観を有する太陽エネルギー収集面を形成している、基板上の少なくとも１列の太陽電池とを有するソーラーパネルオーバレイ。
【請求項５】
下部構造上に取り付けられるソーラーパネルオーバレイ組立体であって、
各ソーラーパネルオーバレイが、基板および前記基板上の少なくとも１列の太陽電池を有し、前記少なくとも１列の太陽電池が、前記基板上に設けられ、前記下部構造の外観と調和する視覚的外観を前記ソーラーパネルオーバレイ組立体に与える、複数の相互に連結されたソーラーパネルオーバレイを有するソーラーパネルオーバレイ組立体。
【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
ウェーハ（１０６）上のチップ（１０７）に対する圧力試験装置（５００、６００、７００）であって、
上部部分（５０６、７０６）と下部部分（５０７、７０７）とを備えたハウジングと、
前記ハウジングの前記上部部分および下部部分（５０６、５０７、７０６、７０７）の間に配置されている支持プレート（４００、６０５）と、
ウェーハチャック（２０２）と、
試験手段（２０３、２０４、２０５）と、
位置決め装置（２０１）と、
を備える圧力試験装置（５００、６００、７００）において、
前記ウェーハチャック（２０２）と、前記試験手段（２０３、２０４、２０５）と、前記位置決め装置（２０１）とは、前記支持プレート（４００、６０５）で支持されており、かつ、前記圧力チャンバ（５０４、５１２、７０４）の内側に配置されており、および、さらに、前記支持プレート（４００、６０５）は、前記ハウジングの前記上部部分および下部部分（５０６、５０７、７０６、７０７）の間のガス連通を実現する開口（４０１）を前記圧力チャンバ（５０４、５１２、７０４）の内側に備えることを特徴とする圧力試験装置（５００、６００、７００）。
【請求項２】
前記支持プレート（４００、６０５）は前記圧力チャンバ（５０４、５１２、７０４）の周縁の周りのカラーを覆うように配置されていることを特徴とする請求項１に記載の圧力試験装置（５００、６００、７００）。
【請求項３】
前記支持プレート（４００、６０５）は、前記圧力チャンバ（５０４、５１２、７０４）のハウジングを上部部分（５０６、７０６）と下部部分（５０７、７０７）とに分割するように配置されていることを特徴とする請求項１に記載の圧力試験装置（５００、６００、７００）。
【請求項４】
前記上部部分（５０６、７０６）と前記下部部分（５０７、７０７）は、前記支持プレート（４００、６０５）で支持されている互いに別個の部分であることを特徴とする請求項３に記載の圧力試験装置（５００、６００、７００）。
【請求項５】
前記支持プレート（４００、６０５）は、前記圧力チャンバ（５０４、５１２、７０４）の前記ハウジングの内側から前記圧力チャンバ（５０４、５１２、７０４）の前記ハウジングの外側の一定の距離に延びることを特徴とする請求項１に記載の圧力試験装置（５００、６００、７００）。
【請求項６】
前記開口は前記圧力チャンバ（５０４、５１２、７０４）の内側の前記支持プレート（４００、６０５）の一部分に及ぶことを特徴とする請求項１に記載の圧力試験装置（５００、６００、７００）。
【請求項７】
前記試験手段はプローブカード（２０４）を備えることを特徴とする請求項１に記載の圧力試験装置（５００、６００、７００）。
【請求項８】
前記試験手段は、前記プローブカード（２０４）を支持するように配置されているカードサポート（２０３）を備えることを特徴とする請求項７に記載の圧力試験装置（５００、６００、７００）。
【請求項９】
前記圧力試験装置（５００、６００、７００）は、前記支持プレート（４００、６０５）で支持されている視覚システム（６０２）を備えることを特徴とする請求項１に記載の圧力試験装置（５００、６００、７００）。
【請求項１０】
前記圧力チャンバ（５０４、５１２、７０４）の前記ハウジング内に配置されている窓（６０３）を備えることを特徴とする請求項１に記載の圧力試験装置（５００、６００、７００）。
【請求項１１】
圧力チャンバ（５０４、５１２、７０４）内のウェーハ（１０６）上のチップ（１０７）の圧力試験方法であり、前記圧力チャンバ（５０４、５１２、７０４）は、上部部分（５０６、７０６）と下部部分（５０７、７０７）とを備えたハウジングを有している、圧力試験方法であって、
ウェーハ（１０６）をウェーハチャック（２０２）の中に挿入することと、
位置決め装置（２０１）を使用して試験手段（２０３、２０４、２０５）に対して相対的に前記ウェーハチャック（２０２）を位置決めすることと、
支持プレート（４００、６０５）で試験手段（２０３、２０４、２０５）を支持することと、
前記圧力チャンバ（５０４、５１２、７０４）の前記ハウジングの内側の圧力を変化させることと、
前記圧力変化によって前記圧力チャンバ（５０４、５１２、７０４）の前記ハウジングを移動させることと、
前記試験手段（２０３、２０４、２０５）を使用して前記圧力チャンバ（５０４、５１２、７０４）内の前記ウェーハ（１０６）上の前記チップ（１０７）を試験することとを含む圧力試験方法において、
前記支持プレート（４００、６０５）によって前記ウェーハチャック（２０２）と前記位置決め装置（２０１）とを支持することと、
前記圧力チャンバ（５０４、５１２、７０４）の前記ハウジングの内側に前記試験手段（２０３、２０４、２０５）と前記位置決め装置（２０１）とを配置することと、
開口（４０１）を実現し、および、これによって前記支持プレート（４００、６０５）を通して前記上部チャンバ（５０４）と前記下部チャンバ（５１２）との間でガス連通を実現することと、
前記支持プレート（４００、６０５）の上面で前記ハウジングの前記上部部分（５０６、７０６）を支持し、こうして上部チャンバ（５０４）を提供することと、
前記支持プレート（４００、６０５）の下面で前記ハウジングの前記下部部分（５０７、７０７）を支持し、こうして下部チャンバ（５１２）を提供することと、
前記支持プレート（４００、６０５）の前記上部表面と前記下部表面とに対して互いに等しい圧力を加えることと、
をさらに含むことを特徴とする圧力試験方法。
【請求項１２】
前記圧力変化による前記圧力チャンバ（５０４、５１２、７０４）の前記ハウジングの移動によって引き起こされた移動力を、前記支持プレート（４００、６０５）だけを経由して、前記ウェーハチャック（２０２）と前記試験手段（２０３、２０４、２０５）と前記位置決め装置（２０１）とに対して及ぼすことを含むことを特徴とする請求項１１に記載の圧力試験方法。
【請求項１３】
ウェーハ（１０６）上のチップ（１０７）に対する圧力試験装置（５００、６００、７００）としての、請求項１〜１０のいずれか一項に記載の圧力試験装置（５００、６００、７００）の使用方法。
【請求項１４】
前記チップ（１０７）はガスセンサであることを特徴とする請求項１３に記載の圧力試験装置（５００、６００、７００）の使用方法。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
張出部（abutments）を有するケースに、
前記ケースの中の少なくとも一つの軸において、前記ケースの前記張出部に向けられるとともに軸方向に距離を空けて配置された張出部を有し、前記ケースの素材とは異なる熱膨張率を有する素材から形成された少なくとも一つの軸と、
前記ケースの中の前記少なくとも一つの軸を支持する少なくとも二つの軸受において、軸径両方向の荷重を担うように構成され、前記ケースの中で、前記ケースと前記少なくとも一つの軸の前記張出部との間で互いに向き合うように前記少なくとも一つの軸にマウントされることで、前記軸受が前記少なくとも一つの軸を軸径両方向について前記ケースの中に拘束し、前記張出部の一つに面するように各々設けられ、前記軸受の他方のレースの前記軌道に面する軌道を備えた内外レースを有する少なくとも二つの軸受と、
前記軌道上を転がる転動体と、が組み合わさった組み合わせにおいて、さらに
前記ケースの前記張出部と前記少なくとも一つの軸の前記張出部との間に配置される支持リングと、止めリングと、補償リングとを有し、
前記補償リングが、前記ケース、前記軸受、又は前記軸の少なくともいずれか一つの温度変化に応答して前記軸と前記ケースとの間の熱膨張収縮の差を補償して広い温度変動範囲にわたって前記軸受がより均一な設定に維持されるように配置される組み合わせ。
【請求項２】
前記補償リングが、前記ケース及び前記少なくとも一つの軸の双方よりもかなり大きい熱膨張率を有している請求項１に記載の組合せ。
【請求項３】
前記補償リングは、前記補償リングが径の内側又は外側に膨張しないように前記支持リング及び前記裏あてリングによって強固かつぴったりと径方向に拘束される柔軟素材においてその体積膨張収縮が軸方向にのみ現れて熱膨張率に帰せられるものよりも大きい柔軟素材を含む請求項２に記載の組合せ。
【請求項４】
前記支持リングは２つのフランジ及び底を有する環状Ｕ字を有し、前記環状Ｕ字は、環状Ｕ字支持リングの前記底が前記軸受の前記外レースの前面に接触するように前記軸受の前記外レースの前記前面に配置される請求項３に記載の組合せ。
【請求項５】
前記裏あてリングが前記環状Ｕ字支持リングの前記２つのフランジの間にはまる寸法であり、前記２つのフランジの間のはめ合いは、前記補償リングを適切に保持するために前記２つのフランジの間に前記裏あてリングを留めることができる程度に十分きついが、より高温に温められて前記補償リングが膨張した際に前記裏あてリングが前記環状Ｕ字支持リングから押しはずされることが可能な程度に十分にゆるくなっている請求項４に記載の組合せ。
【請求項６】
前記補償リングは、径の内側又は外側に膨張しないように前記支持リング、前記裏あてリング、及び前記変速機の前記ケース及び前記裏あてリングによって強固かつぴったりと径方向に拘束される柔軟素材において体積膨張収縮が軸方向にのみ現れて熱膨張率に帰せられるものよりも大きい柔軟素材を含む請求項２に記載の組合せ。
【請求項７】
前記支持リングは、径方向垂直面及び軸方向水平面を備えるＬ字支持リングにおいて、その前記径方向垂直面が前記軸受の前記外レースの前面に接触するように前記軸受の前記外レースの前記前面に配置される前記Ｌ字支持リングである請求項６に記載の組合せ
【請求項８】
前記裏あてリングが前記Ｌ字支持リングの前記水平軸方向面と前記変速機の前記ケースとの間にはまる寸法であり、前記はめ合いは、前記補償リングを適切に保持するために前記Ｌ字支持リングと前記変速機の前記ケースとの間に前記裏あてリングを留めることができる程度に十分きついが、より高温に温められて前記補償リングが膨張した際に前記裏あてリングが前記Ｌ字支持リングから押しはずされることが可能な程度に十分にゆるくなっている請求項７に記載の組合せ。
【請求項９】
前記支持リングが内周及び外周を有するリング状支持リングである請求項６に記載の組合せ。
【請求項１０】
前記裏あてリングが前記支持リングの前記外周と前記変速機の前記ケースとの間にはまる寸法であり、前記はめ合いは、前記補償リングを適切に保持するために前記支持リングと前記変速機の前記ケースとの間に前記裏あてリングを留めることができる程度に十分きついが、より高温に温められて前記補償リングが膨張した際に前記裏あてリングが前記支持リングから押しはずされることが可能な程度に十分にゆるくなっている請求項９に記載の組合せ
【請求項１１】
張出部（abutments）を有するケースに、
前記ケースの中の少なくとも一つの軸において、前記ケースの張出部に向かって前記ケースの張出部から軸方向に距離を空けて配置された張出部を有し、前記ケースの素材とは異なる熱膨張率を有する素材から形成された少なくとも一つの軸と、
前記ケースの中の前記少なくとも一つの軸を支持する少なくとも二つの軸受において、軸径両方向の荷重を担うように構成され、前記ケースの中で前記ケース及び前記少なくとも一つの軸の前記張出部の間で前記少なくとも一つの軸にマウントされ、そこでは互いに逆向きとなり、前記軸受が前記少なくとも一つの軸を軸径両方向について前記ケースの中に拘束し、前記張出部の一つに面するように各々設けられ、前記軸受の他方のレースの前記軌道に面する軌道を備えた内外レースを有する少なくとも二つの軸受と、
前記軌道上を転がる転動体と、が組み合わさった組み合わせにおいて、
前記軸と前記ケースとの間の熱膨張収縮の差を補償して前記軸受が広い温度変動範囲にわたってより均一な設定に維持されるように、前記ケース、前記軸受、又は前記軸のいずれかの少なくとも一つの温度変化に対応する手段とを有する組み合わせ。
【請求項１２】
コーンの形態を有する内レース、
コロと、
カップの形態を有する外レースと、
支持リングと、
補償リングと、を有する円すいコロ軸受において、
前記外レースが第１及び第２外周面を備え、
前記第１及び第２外周面の径がかなり異なっていて突起部を形成し、
前記支持リングは、ほぼ均一な厚みを有し、
前記支持リングは、前記カップの前記第１面と接触する少なくとも一つの面を有し、
前記支持リングの前記少なくとも一つの面は、前記支持リングの厚さよりもかなり大きく、
前記補償リングは、前記支持リング、前記外レース、及び前記外レースの前記突起部によって定まる空間に適合する.
【請求項１３】
前記支持リングが前記補償リングの前面に配置される請求項１２に記載の装置。
【請求項１４】
前記支持リングの前記少なくとも一つの面は前記支持リングよりもかなり厚い第１及び第２面を含み、
前記第１面が前記外レースと封止のために接触し、
前記第２面は内部に前記外レースがマウントされている取り付け孔と封止のために接触する請求項１２に記載の装置。
【請求項１５】
前記第１面及び第２面が互いに向かって細くなる請求項１４に記載の装置。
【請求項１６】
前記補償リングが前記第１及び第２外周面と同一平面にある請求項１２に記載の装置。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
収集排気ガス分析のための希釈流量制御システムにおいて、
発生ガスの流速を指示するパラメーターを測定するのに適応した流量計と、
希釈試料を生成することになる、希釈ガスと発生ガスの一部とを混合するのに適応した混合チャンバーと、
発生ガスの一部の流速を少なくとも部分的に制御するのに適応させるために、流れ規制を定める並列させた第１段ソレノイド弁列からなる第１流量制御装置と、
前記発生ガスの流速に関連して、前記第１段ソレノイド弁列に含まれるソレノイド弁の組み合わせ作用による発生ガスの試料採取割合を制御するために、前記流量計の出力に応答する処理装置と、
を有する発生源から放出される発生ガスの採取試料の希釈装置を具備した収集排気ガス分析のための希釈流量制御システム。
【請求項２】
請求項１に記載した前記希釈装置には、
希釈試料の流速を少なくとも部分的に制御するのに適応し、流れ規制を定める並列させた第２段ソレノイド弁列からなる第２流量制御装置を含み、前記処理装置で、発生ガスの流速に関連して、前記第２段ソレノイド弁列に含まれる前記ソレノイド弁の組み合わせ作用により、少なくとも部分的に、前記混合チャンバーから排出された希釈試料の流速を制御することを特徴とする収集排気ガス分析のための希釈流量制御システム。
【請求項３】
前記処理装置は、前記混合チャンバーからの希釈試料の流速を、常時一定流速に制御することを特徴とする請求項２に記載の収集排気ガス分析のための希釈流量制御システム。
【請求項４】
前記流れ規制は、流体オリフィスにより定められることを特徴とする請求項１から請求項３までのいずれかに記載の収集排気ガス分析のための希釈流量制御システム。
【請求項５】
前記流れ規制は、臨界流量オリフィスにより定められることを特徴とする請求項１から請求項３までのいずれかに記載の収集排気ガス分析のための希釈流量制御システム。
【請求項６】
前記流れ規制は、ニードル弁により定められることを特徴とする請求項１から請求項３までのいずれかに記載の収集排気ガス分析のための希釈流量制御システム。
【請求項７】
前記ソレノイド弁の少なくともいくつかは、他のソレノイド弁と異なる流れ規制を行うことを特徴とする請求項１から請求項６までのいずれかに記載の収集排気ガス分析のための希釈流量制御システム。
【請求項８】
前記混合チャンバーは、試料ガスの一部を周辺空気による希釈ガスと混合させるのに適応することを特徴とする請求項１から請求項７までのいずれかに記載の収集排気ガス分析のための希釈流量制御システム。
【請求項９】
前記第２流量制御制御装置で生成された希釈試料の流速に、前記第１流量制御装置の空気流を均衡させることに適応させるための較正流量計を備えていることを特徴とする請求項１から請求項１１までのいずれかに記載の収集排気ガス分析のための希釈流量制御システム。
【請求項１０】
前記希釈装置の流速を制御する前記処理装置は、比例サンプリング制御と固定希釈サンプリング制御とから適宜に選択されたものであることを特徴とする請求項１から請求項１４までのいずれかに記載の収集排気ガス分析のための希釈流量制御システム。
【請求項１１】
収集排気ガス分析のための希釈流量制御方法において、
発生ガスの一部を発生ガス試料として収集し、
発生ガスの流速を指示するパラメーターを測定し、
流速を持った希釈ガスを供給し、
発生ガスと希釈ガスとを混合させて、希釈試料を生成し、
流れ規制を定める並列させた第１段ソレノイド弁列により、発生ガスの一部の流速を少なくとも部分的に適宜に制御し、
前記発生ガスの試料採取割合を、前記発生ガスの流速に関連して、前記第１段ソレノイド弁列に含まれるソレノイド弁の組み合わせ作用により制御することを特徴とする収集排気ガス分析のための希釈流量制御方法。
【請求項１２】
それぞれが流れを規制されている第２ソレノイド弁列で採取された希釈試料の流速を制御すると共に、発生ガスの流速に関連して、前記第２段ソレノイド弁列に含まれる前記ソレノイド弁の組み合わせ作用により、希釈試料の流速を制御することを含むことを特徴とする請求項１６に記載の収集排気ガス分析のための希釈流量制御方法。
【請求項１３】
希釈試料の流速を、常時一定流速に制御することを特徴とする請求項１７に記載の収集排気ガス分析のための希釈流量制御方法。
【請求項１４】
希釈試料の少なくとも一部を供給して、該希釈試料の微粒子物質の質量を分析する少なくとも一つの微粒子分析装置を備えていることを特徴とする請求項１６から請求項１８までのいずれかに記載の収集排気ガス分析のための希釈流量制御方法。
【請求項１５】
前記希釈試料の微粒物質の質量から発生ガス中に存する微粒子物質の含有量と、希釈試料の流速、発生ガスの流速とを計算することを特徴とする請求項１９に記載の収集排気ガス分析のための希釈流量制御方法。
【請求項１６】
排気中の微粒子物質を測定することを特徴とする請求項１６から請求項２５までのいずれかに記載の収集排気ガス分析のための希釈流量制御方法。
【請求項１７】
内燃機関の排気中の微粒物質を測定することを特徴とする請求項２６に記載の収集排気ガス分析のための希釈流量制御方法。
【請求項１８】
前記試料採取は、比例サンプリングまたは固定希釈サンプリングのいずれかであることを特徴とする請求項１６から請求項２７のいずれかに記載の収集排気ガス分析のための希釈流量制御方法。